(57)【要約】      （修正有）【課題】流体を流通させたままで異物除去手段を交換できるストレーナ装置を提供する。【解決手段】ストレーナ装置は、ボデイ１０と、ケース２０と、異物除去手段３０と、シール手段５０と、ケース２０の開口を封鎖する封鎖手段４０とを有している。ボデイ１０は、軸線Ｌ１に沿って延び一端が開口され他端が閉塞された収容空間１３と、入口通路１４Ａおよび出口通路１４Ｂとを有する。筒形状のケース２０は、入口通路１４Ａおよび出口通路１４Ｂにそれぞれ連なる一対の連通口２４を有している。ケース２０は、収容空間１３に収容された収容位置と、収容空間１３の開口から突出する突出位置との間で移動可能である。異物除去手段３０は、細孔３１ａを有するカートリッジ３１と、このカートリッジ３１に収容された異物除去材料としてのフィルタ３５を有している。【選択図】図１
2019118848.tif 000002
【特許請求の範囲】
【請求項１】
ア．軸線に沿って延び一端が開口され他端が閉塞された収容空間と、上記軸線と交差する方向に延びて上記収容空間に連なる入口通路および出口通路と、を有するボデイと、
イ．筒形状をなし一端が開口され他端が閉塞され、周壁に上記入口通路および上記出口通路にそれぞれ連なる一対の連通口を有し、上記一端の開口を上記収容空間の開口と同じ向きにした状態で、上記収容空間に収容された収容位置と、上記収容空間の開口から突出する突出位置との間で移動可能なケースと、
ウ．上記ケースに収容され、流体の流通を許容しながら、異物を流体から除去する異物除去手段と、
エ．上記収容空間の内周において上記入口通路および上記出口通路と上記開口との間に装着され、上記ケースが上記収容位置に位置した状態と上記突出位置に位置した状態において、上記ケースの外周と上記収容空間の内周との間をシールするシール手段と、
オ．上記ケースの開口を開放可能に封鎖する封鎖手段と、
を備えたことを特徴とするストレーナ装置。
【請求項２】
上記シール手段は、上記入口通路および上記出口通路寄りの第１シールリングと、上記収容空間の開口寄りの第２シールリングとを有しており、
上記ケースが上記収容位置に位置している状態で、上記第１、第２シールリングは、上記ケースの外周において上記連通口と上記ケースの開口との間の領域に接し、
上記ケースが上記突出位置に位置している状態で、上記第１シールリングは上記ケースの閉塞端部の外周に接し、上記第２シールリングは上記ケースの外周において上記連通口と上記ケースの開口との間の領域に接することを特徴とする請求項１に記載のストレーナ装置。
【請求項３】
上記収容空間は、上記入口通路および上記出口通路から見て上記収容空間の開口の反対側に延出する奥側収容部を有し、上記ケースは上記収容位置に位置している時に、上記閉塞端部が上記奥側収容部に収容されていることを特徴とする請求項２に記載のストレーナ装置。
【請求項４】
上記ケースの上記閉塞端部の外周には環状の装着溝が形成され、この装着溝に係止リングが装着されており、
上記奥側収容部の内周には第１係止溝が形成され、上記収容空間の内周において上記第１シールリングと上記入口通路および上記出口通路との間には第２係止溝が形成されており、
上記ケースが上記収容位置に位置している状態では、上記係止リングが上記第１係止溝に係止され、上記ケースが上記突出位置に位置している状態では、上記係止リングが上記第２係止溝に係止されることを特徴とする請求項３に記載のストレーナ装置。
【請求項５】
上記異物除去手段が、上記ケースに収容され通気性を有する筒状のカートリッジと、このカートリッジ内に収容された異物除去材料と、を有することを特徴とする請求項１〜４に記載のストレーナ装置。
【請求項６】
上記カートリッジは、上記ケースに収容された状態で、その一端が上記ケースの閉塞端部に当接し、上記カートリッジの周壁の一部が上記ケースの上記一対の連通口に臨んでいることを特徴とする請求項５に記載のストレーナ装置。
【請求項７】
上記カートリッジの閉塞された他端にはつまみ部が突出して形成されていることを特徴とする請求項６に記載のストレーナ装置。
【請求項８】
上記ケースは、その内部空間において閉塞端部寄りに配置された流路構成部を有し、この流路構成部は、上記一対の連通口の一方に連なるとともに上記ボデイの軸線に向かって延びる第１部分と、この第１部分に連なり上記ボデイの軸線に沿って上記ケースの開口に向かって延びその先端が開口する第２部分とを有し、これら第１部分と第２部分によりＬ字形の内部通路が形成されており、
上記カートリッジは、筒部とこの筒部の一端に形成された環状の装着部を有し、この装着部が上記流路構成部の上記第２部分の外周に装着されており、この装着状態で上記筒部が上記ケースの周壁から離間していることを特徴とする請求項５に記載のストレーナ装置。
【請求項９】
上記ボデイは、上記軸線に沿って延びる筒部と、上記筒部の側部から突出して形成された一対の接続口部とを有し、上記一対の接続口部の端面に上記入口通路と上記出口通路がそれぞれ開口しており、
上記ボデイの筒部には、上記収容空間の開口を封鎖する外蓋が螺合されており、
上記封鎖手段は、上記ケースの開口側の端部に螺合されたケース蓋を含むことを特徴とする請求項１〜８のいずれかに記載のストレーナ装置。
【請求項１０】
上記ケース蓋はその外端面に係合凸部を有し、上記外蓋は上記係合凸部と螺合可能なネジ穴を有していることを特徴とする請求項９に記載のストレーナ装置。
【発明の詳細な説明】
【技術分野】
【０００１】
本発明は、ガス等の流体通路に配置されて異物を除去するストレーナ装置に関する。
【背景技術】
【０００２】
特許文献１に開示されているように、一般的なストレーナ装置のボデイは、直線的に延びる主筒部と、この主筒部に対して傾斜した方向に突出する副筒部を有している。主筒部に流体通路が形成されている。副筒部には異物補足用のスクリーン（異物除去手段）が収容されている。このスクリーンの一端が流体通路内の環状の支持部に支持されており、他端が副筒部の端部に螺合された蓋に支持されている。
【０００３】
長期使用によりスクリーンの異物補足効果が減じられた時には、蓋をボデイの筒部から取り外してスクリーンをボデイから抜き取り、新しいスクリーンと交換して再装着するか、清掃して再装着している。
【先行技術文献】
【特許文献】
【０００４】
【特許文献１】特開２００８−８０１８９号公報
【発明の概要】
【発明が解決しようとする課題】
【０００５】
上記構成のストレーナ装置では、スクリーンをボデイから抜き取って再装着するまでの間に、流体通路が筒部を介して外部に開放されているので、ストレーナ装置の上流側と下流側で流体の流通を一時的に遮断して流体の漏出を回避する必要があり、ユーザーに不便を強いていた。
【課題を解決するための手段】
【０００６】
上記課題を解決するために、本発明のストレーナ装置は、
ア．軸線に沿って延び一端が開口され他端が閉塞された収容空間と、上記軸線と交差する方向に延びて上記収容空間に連なる入口通路および出口通路と、を有するボデイと、
イ．筒形状をなし一端が開口され他端が閉塞され、周壁に上記入口通路および上記出口通路にそれぞれ連なる一対の連通口を有し、上記一端の開口を上記収容空間の開口と同じ向きにした状態で、上記収容空間に収容された収容位置と、上記収容空間の開口から突出する突出位置との間で移動可能なケースと、
ウ．上記ケースに収容され、流体の流通を許容しながら、異物を流体から除去する異物除去手段と、
エ．上記収容空間の内周において上記入口通路および上記出口通路と上記開口との間に装着され、上記ケースが上記収容位置に位置した状態と上記突出位置に位置した状態において、上記ケースの外周と上記収容空間の内周との間をシールするシール手段と、
オ．上記ケースの開口を開放可能に封鎖する封鎖手段と、
を備えたことを特徴とする。
【０００７】
上記構成によれば、異物除去手段をケースに支持した状態でボデイの収容空間に収容し、このケースをボデイから突出させた状態で異物除去手段の取り出しと再装着を行う。このケースが収容空間に収容された状態と突出した状態において、ケース外周と収容空間の内周との間がシール手段によりシールされているので、流体を流通させたまま異物除去手段の取り出しと再装着の作業を行うことができる。
【０００８】
好ましくは、上記シール手段は、上記入口通路および上記出口通路寄りの第１シールリングと、上記収容空間の開口寄りの第２シールリングとを有しており、上記ケースが上記収容位置に位置している状態で、上記第１、第２シールリングは、上記ケースの外周において上記連通口と上記ケースの開口との間の領域に接し、上記ケースが上記突出位置に位置している状態で、上記第１シールリングは上記ケースの閉塞端部の外周に接し、上記第２シールリングは上記ケースの外周において上記連通口と上記ケースの開口との間の領域に接する。
上記構成によれば、第１シールリングにより、ケースが収容空間に収容された状態と突出した状態で、ケース外周と収容空間の内周との間をシールすることができる。第２シールリングにより、ケースを収容位置から突出位置へと移動させる過程でも、ケース外周と収容空間の内周との間をシールすることができる。
【０００９】
好ましくは、上記収容空間は、上記入口通路および上記出口通路から見て上記収容空間の開口の反対側に延出する奥側収容部を有し、上記ケースは上記収容位置に位置している時に、上記閉塞端部が上記奥側収容部に収容されている。
上記構成によれば、ケースを安定して支持することができる。
【００１０】
好ましくは、上記ケースの上記閉塞端部の外周には環状の装着溝が形成され、この装着溝に係止リングが装着されており、上記奥側収容部の内周には第１係止溝が形成され、上記収容空間の内周において上記第１シールリングと上記入口通路および上記出口通路との間には第２係止溝が形成されており、上記ケースが上記収容位置に位置している状態では、上記係止リングが上記第１係止溝に係止され、上記ケースが上記突出位置に位置している状態では、上記係止リングが上記第２係止溝に係止される。
上記構成によれば、ケースを設定された収容位置と突出位置に確実に保持することができ、特にケースの突出位置において第１シールリングによるシール機能を確実に実行することができる。
【００１１】
好ましくは、上記異物除去手段が、上記ケースに収容され通気性を有する筒状のカートリッジと、このカートリッジ内に収容された異物除去材料と、を有する。
上記構成によれば、カートリッジを用いることにより、異物除去手段の取り出しと再装着を簡単に行うことができる。
【００１２】
好ましくは、上記カートリッジは、上記ケースに収容された状態で、その一端が上記ケースの閉塞端部に当接し、上記カートリッジの周壁の一部が上記ケースの上記一対の連通口に臨んでいる。
上記構成によれば、ケースおよびカートリッジの構造を簡略化することができる。
【００１３】
さらに好ましくは、上記カートリッジの閉塞された他端にはつまみ部が突出して形成されている。
上記構成によれば、カートリッジをつまみ部を掴んで簡単にケースから取り出すことができる。
【００１４】
上記ケースは、その内部空間において閉塞端部寄りに配置された流路構成部を有し、この流路構成部は、上記一対の連通口の一方に連なるとともに上記ボデイの軸線に向かって延びる第１部分と、この第１部分に連なり上記ボデイの軸線に沿って上記ケースの開口に向かって延びその先端が開口する第２部分とを有し、これら第１部分と第２部分によりＬ字形の内部通路が形成されており、上記カートリッジは、筒部とこの筒部の一端に形成された環状の装着部を有し、この装着部が上記流路構成部の上記第２部分の外周に装着されており、この装着状態で上記筒部が上記ケースの周壁から離間している。
上記構成によれば、カートリッジの全周にわたって流体が流通するので、異物除去効果を高めることができる。
【００１５】
好ましくは、上記ボデイは、上記軸線に沿って延びる筒部と、上記筒部の側部から突出して形成された一対の接続口部とを有し、上記一対の接続口部の端面に上記入口通路と上記出口通路がそれぞれ開口しており、上記ボデイの筒部には、上記収容空間の開口を封鎖する外蓋が螺合されており、上記封鎖手段は、上記ケースの開口側の端部に螺合されたケース蓋を含む。
上記構成によれば、ケース蓋により簡単な構造でケースの開口を封鎖でき、外蓋により収容空間の開口端とケースを封鎖することができる。
【００１６】
さらに好ましくは、上記ケース蓋はその外端面に係合凸部を有し、上記外蓋は上記係合凸部と螺合可能なネジ穴を有している。
上記構成によれば、外蓋を外して逆に向け、ケース蓋の係合凸部と外蓋のネジ穴とを螺合させた状態で外蓋を掴みながら引くことにより、ケースを簡単に収容空間から抜き取ることができる。
【発明の効果】
【００１７】
本発明のストレーナ装置によれば、流体を流通させた状態で異物除去手段を取り出して再装着することができる。
【図面の簡単な説明】
【００１８】
【図１】本発明の第１実施形態に係るストレーナ装置の断面図である。
【図２】上記ストレーナ装置からカートリッジを取り出す際の最初の工程を示す断面図である。
【図３】上記カートリッジを取り出す際の中間の工程を示す断面図である。
【図４】上記カートリッジを取り出す際の最後の工程を示す断面図である。
【図５】上記ストレーナ装置のボデイの断面図である。
【図６】上記ストレーナ装置の分解斜視図である。
【図７】本発明の第２実施形態に係るストレーナ装置の断面図である。
【図８】第２実施形態において上記ストレーナ装置からカートリッジを取り出す際の最初の工程を示す断面図である。
【図９】第２実施形態において上記カートリッジを取り出す際の中間の工程を示す断面図である。
【図１０】第２実施形態において上記カートリッジを取り出す際の最後の工程を示す断面図である。
【図１１】第２実施形態のストレーナ装置の分解断面図である。
【図１２】第２実施形態においてカートリッジに異なる異物除去材料を収容したストレーナ装置の断面図である。
【発明を実施するための形態】
【００１９】
以下、本発明の第１実施形態をなすストレーナ装置を図面を参照しながら説明する。本実施形態のストレーナ装置は、燃料ガスの供給通路の途中に取り付けられ、ガス中に含まれる微細な塵埃例えばガス供給通路内壁から遊離した錆等を除去するために用いられる。
図１、図６に示すように、ストレーナ装置は、主たる構成要素として、ボデイ１０と、ケース２０と、異物除去手段３０と、ケース２０のための封鎖手段４０と、ボデイ１０とケース２０との間のシール手段５０と、外蓋６０とを備えている。
【００２０】
図５に示すように、ボデイ１０は、軸線Ｌ１に沿って延びる略円筒形状の筒部１１と、軸線Ｌ１と直交する軸線Ｌ２に沿って筒部１１の側部から突出する一対の接続口部１２を有している。筒部１１は一対の接続口部１２から長く突出する第１突出部１１ａと、その反対方向に短く突出する第２突出部１１ｂとを有している。
【００２１】
上記筒部１１の内部空間は収容空間１３として提供される。収容空間１３は軸線Ｌ１に沿って延び、その内周は全長にわたって同径の円筒面をなしている。収容空間１３は、第１突出部１１ａの先端において開口している。この収容空間１３の開口端に符号１３ａを付す。収容空間１３は、第２突出部１１ｂにおいて閉塞されている。この収容空間１３の閉塞端に符号１３ｂを付す。
【００２２】
ボデイ１０には、軸線Ｌ２に沿って延びる一対のガス通路１４Ａ，１４Ｂが形成されている。これらガス通路１４Ａ，１４Ｂは、一端が一対の接続口部１２の端面にそれぞれ開口し、他端が収容空間１３の内周に開口している。一対のガス通路１４Ａ，１４Ｂの先端部には雌ネジ１４ａが形成されており、例えば右側のガス通路１４Ａには上流側ガス管が接続され、左側のガス通路１４Ｂには下流側ガス管が接続される。これによりガスは図１に矢印で示す方向で流れるようになっている。以下、右側のガス通路１４Ａを入口通路、左側のガス通路１４Ｂを出口通路と言う。
【００２３】
上記収容空間１３は、入口通路１４Ａ、出口通路１４Ｂと開口端１３ａとの間を占める開口側収容部１３ｘ（ボデイ１０の第１突出部１１ａに対応した収容部）と、入口通路１４Ａ、出口通路１４Ｂと閉塞端１３ｂとの間を占める奥側収容部１３ｙ（ボデイ１０の第２突出部１１ｂに対応した収容部）と、入口通路１４Ａ、出口通路１４Ｂに連なる中間収容部１３ｚと、を有している。
【００２４】
収容空間１３の中間収容部１３ｚの内周面は、入口通路１４Ａ、出口通路１４Ｂが開口するため切り欠かれているが、図５において紙面と直交して対向する２箇所は円筒面として残っている。
【００２５】
収容空間１３の開口側収容部１３ｘの内周には、入口通路１４Ａ，出口通路１４Ｂの近傍に、後述する第１シールリング５１を装着するための環状の装着溝１５ａが形成され、開口端１３ａ近傍には後述する第２シールリング５２を装着するための環状の装着溝１５ｂが形成されている。
【００２６】
収容空間１３の奥側収容部１３ｙの内周には、環状の第１係止溝１６ａが形成され、開口側収容部１３ｘの内周には、入口通路１４Ａ，出口通路１４Ｂと装着溝１５ａとの間において、環状の第２係止溝１６ｂが形成されている。これら係止溝１６ａ，１６ｂの入り口通路１４Ａ，出口通路１４Ｂ側の端部はテーパをなしている。
【００２７】
ボデイ１０の筒部１１の第１突出部１１ａの先端部外周には雄ネジ１７が形成されるとともに、この雄ネジ１７よりも接続口部１２寄りには環状の装着溝１８が形成されている。この装着溝１８にはＯリングからなるシールリング５５が装着されている。
【００２８】
図１、図６に示すように、上記ケース２０は円筒形状をなし、ボデイ１０の収容空間１３に軸線Ｌ１に沿って移動可能に収容されている。ケース２０の一端が開口され他端が閉塞されている。開口端を符号２１で示し、閉塞端部を符号２２で示す。ケース２０の周壁には入口通路１４Ａと出口通路１４Ｂにそれぞれ連なる一対の連通口２４が形成されている。
【００２９】
ケース２０の閉塞端部２２は厚肉をなし、一対の連通口２４から開口端２１の反対側に突出している。この閉塞端部２２の外周には環状の装着溝２５が形成され、この装着溝２５には、Ｃリングからなる係止リング２６が装着されている。ケース２０の開口端２１近傍の内周には雌ネジ２７が形成されている。
【００３０】
上記ケース２０がボデイ１０の収容空間１３内に収容された状態で、その開口端２１は収容空間１３の開口端１３ａと同方向を向き、その閉塞端部２２は収容空間１３の奥側収容部１３ｙに収容されている。係止リング２６が奥側収容部１３ｙの第１係止溝１６ａに嵌っており、これにより、ケース２０は設定された収容位置に位置決めされている。一対の連通口２４は、入口通路１４Ａと出口通路１４Ｂに連通するように配置されている。
【００３１】
図１、図６に示すように、上記シール手段５０は、ボデイ１０の装着溝１５ａ，１５ｂにそれぞれ装着されたＯリングからなる第１シールリング５１と第２シールリング５２とを有している。これらシ−ルリング５１，５２は、ケース２０がボデイ１０の収容空間１３に収容された状態で、ケース２０の外周において一対の連通口２４と開口端２１との間の領域に接しており、これによりボデイ１０の収容空間１３の内周とケース２０の外周との間をシールしている。
【００３２】
図１、図６に示すように、上記異物除去手段３０は、円筒形状のカートリッジ３１と、このカートリッジ３１内に収容された円筒形状のフィルタ３５（異物除去材料）とを有している。このフィルタ３５は、例えば立体網状の完全連続気孔を有するポリビニルフォルマ―ルのスポンジにより形成されている。カートリッジ３１の周壁には多数の細孔３１ａが形成されており、ガスの流通が可能である。なお、このカートリッジ３１は網により構成してもよい。
カートリッジ３１の一端が開口し他端が閉塞している。カートリッジ３１の開口端がケース２０の閉塞端部２２に当接し、その閉塞端がケース２０の開口端２１側に配置されている。カートリッジ３１の周壁の図１における下部はケース２０の一対の連通口２４に対向して配置されている。カートリッジ３１の閉塞端にはつまみ部３２が突出形成されている。
【００３３】
図１、図６に示すように、封鎖手段４０は、カートリッジ３１を収容した状態でケース２０の開口端２１を気密に封鎖するものであり、ケース蓋４１とＯリングからなるシールリング４９とを有している。ケース蓋４１は、外周に雄ネジ４２と環状の装着溝４３を有し、この装着溝４３にシールリング４９が装着されている。
ケース蓋４１がケース２０の雌ネジ２７に螺合され、シールリング４９がケース２０の開口端２１近傍の内周面に接することにより、ケース２０の開口端２１が封鎖される。
【００３４】
ケース蓋４１の内端面にはカートリッジ３１のつまみ部３２を収容する凹部４４が形成されており、外端面には係合凸部４５が形成されている。この係合凸部４５の外周には雄ネジ４５ａが形成され、先端面には工具掛け穴４５ｂが形成されている。
【００３５】
図１、図６に示すように、外蓋６０のスカート部内周には、ボデイ１０の第１突出部１１ａの先端部の雄ネジ１７に螺合される雌ネジ６１が形成されており、その頂壁の中央に形成された凸部には、ネジ穴６２が形成されている。
上記外蓋６０がボデイ１０の第１突出部１１ａに螺合され、シールリング５５が外蓋６０のスカート部内周に接することにより、収容空間１３の開口端１３ａが気密に封鎖されている。
【００３６】
上記構成をなすストレーナ装置の作用を説明する。図１に示すように、カートリッジ３１を組み込んだケース２０を収容空間１３に収容した状態で、入口通路１４Ａから流入したガスはカートリッジ３１の細孔３１ａを通りフィルタ３５を通る過程で微細な塵埃を除去され、出口通路１４Ｂから流出する。シールリング５１，５２によりケース２０外周とボデイ１０の収容空間１３内周との間がシールされ、ケース２０の開口端２１がケース蓋４１とシールリング４９により気密に封鎖され、さらに収容空間１３の開口端１３ａが外蓋６０とシールリング５５により気密に封鎖されているので、ガスはストレーナ装置から漏れ出ることはない。
【００３７】
長期使用後にフィルタ３５を交換する場合には、以下の手順によりカートリッジ３１を引き出す。
最初に、図２に示すように外蓋６０をボデイ１０の筒部１１から外し、この外蓋６０を逆さにしてそのネジ穴６２にケース蓋４１の係合凸部４５を螺合させ、この状態で外蓋６０を手で掴んで引く。これにより、ケース２０の閉塞端部２２に装着されている係止リング２６が、収容空間１３の奥側収容部１３ｙの第１係止溝１６ａから外れ、ケース２０は収容空間１３の開口端１３ａから軸線Ｌ１に沿って引き出される。やがて図２に示すように係止リング２６が第２係止溝１６ｂに嵌ることにより、ケース２０は設定された突出位置で保持される。
【００３８】
上記ケース２０が突出位置にある時、収容空間１３の開口側収容部１３ｘをケース２０の閉塞端部２２が塞ぎ、第１シールリング５１が閉塞端部２２外周に接することにより、収容空間１３の開口側収容部１３ｘは封鎖されている。そのため、ガス供給を続行してもストレーナ装置からガスが漏れ出ることはない。
ケース２０が突出位置にある時には、入口通路１４Ａに流入したガスはケース２０、カートリッジ３１、フィルタ３５を通らずに、収容空間１３の中間収容部１３ｚを通って出口通路１４Ｂへと向かう。
【００３９】
ケース２０が図１の収容位置から図２の突出位置まで移動する途中では、第１シールリング５１をケース２０の連通口２４が通るために第１シールリング５１はシール機能を発揮できないが、第２シールリング５２がケース２０の外周に常時接しているため、この過程でのガス漏れを防止できる。なお、この短時間でのガス漏れを許容できる場合には第２シールリング５２を省くこともできる。
【００４０】
次に、外蓋６０をケース蓋４１から外し、さらにケース蓋４１の工具掛け穴４５ｂに工具を掛けてケース蓋４１を回すことにより、ケース２０から取り外す。これにより、図３に示すようにケース２０の開口端２１が開放され、カートリッジ３１のつまみ部３２が露出する。
【００４１】
次に、図４に示すように、カートリッジ３１のつまみ部３２を手で掴んでカートリッジ３１を軸線Ｌ１に沿って引き出す。古いフィルタ３５をカートリッジ３１から取り出し、このフィルタ３５を洗浄するか新しいフィルタ３５と交換して、再びカートリッジ３１に装着する。この後、上記の工程を逆の順で実行する。簡単に説明すると、カートリッジ３１をケース２０に収容し、ケース２０の開口端２１をケース蓋４１で封鎖した後、ケース２０を軸線Ｌ１に沿って押込む。これにより、係止リング２６が第１係止溝１６ａに嵌まり、ケース２０が収容空間１３内に収容される。この後で外蓋６０をボデイ１０に螺合する。
【００４２】
次に、本発明の第２実施形態に係るストレーナ装置ついて、図７〜図１１を参照しながら説明する。図７、図１１に示すように、このストレーナ装置のボデイ１０と、封止手段４０と、シール手段５０と、外蓋６０は、第１実施形態と同様であるから、各部位に同番号を付してその詳細な説明を省略する。
【００４３】
第２実施形態のケース２０’は、第１実施形態と同様に円筒形状をなしており、第１実施形態のケース２０と共通の構成部については、同番号を付してその詳細な説明を省略する。ケース２０’は、その内部空間において閉塞端部２２寄りに配置された流路構成部２８を有している。流路構成部２８は、入口側連通口２４に連なりボデイ１０の軸線Ｌ２に沿って軸線Ｌ１に向かう第１部分２８ａと、軸線Ｌ１に沿って開口端２１に向かう第２部分２８ｂとを有している。第２部分２８ｂの先端は開口している。これら第１部分２８ａと第２部分２８ｂによりＬ字形の内部通路２９が形成されている。
【００４４】
第２実施形態の上記異物除去手段３０’のカートリッジ３１’は、円筒部３６（筒部）と、円筒部３６の一端に形成された断面Ｕ字形をなす環状の装着部３７と、装着部３７の内端に連なる円盤部３８とを有している。カートリッジ３１’は、第１実施形態と同様に多数の細孔が形成されているか、網により構成されていて、通気性を有している。
カートリッジ３１’内に円筒形状のフィルタ３５が収容されている。フィルタ３５の一端部はカートリッジ３１’の装着部３７に嵌め込まれている。
【００４５】
カートリッジ３１’は、その装着部３７がケース２０’の流路構成部２８の第２部分２８ｂの外周に装着されている。この装着状態で装着部３７が流路構成部２８の第１部分２８ａに当接し、カートリッジ３１’の他端がケース蓋４１に押さえられている。ケース蓋４１には、凸部４４’が形成されており、この凸部４４’がフィルタ３５に入り込んでいる。
【００４６】
カートリッジ３１’は上記装着状態において、ケース２０’の連通口２４から開口端２１寄りに偏倚している。また、カートリッジ３１’の円筒部３６はケース２０’の周壁から離間しており、両者の間に環状の通路１００が形成されている。
【００４７】
第２実施形態では、図７に矢印で示すように、入口通路１４Ａから流入したガスは、流路構成部２８の内部通路２９を通り、カートリッジ３１’の円盤部３８を通り、フィルタ３５を通り、さらにカートリッジ３１’の円筒部３６および環状の通路１００を通って出口通路１４Ｂに向かう。さらにガスの一部は、フィルタ３５を通って装着部３７を経て出口通路１４Ｂに向かう。このように、ガスがフィルタ３５の広い領域を通過するので、異物除去効果を高めることができる。
【００４８】
フィルタ３５を交換する場合には、図８に示すように、外蓋６０を用いてケース２０’を突出位置まで引き出し、次に図９に示すように、外蓋６０およびケース蓋４１を取り外してカートリッジ３１’を露出させ、次に図１０に示すように、カートリッジ３１’を取り出し、フィルタ３５を交換する。これらの工程は第１実施形態と同様であるので詳細な説明を省略する。
【００４９】
第２実施形態において、上記流路構成部の第１部分２８ａが出口側連通口２４に連なっていてもよい。カートリッジ３１’の円盤部３８は省くこともできる。
【００５０】
上記実施形態のストレーナ装置は、ガス通路を流れる微細な塵埃（異物）を除去するために構成されているが、ガス中の蒸気（異物）を除去するために構成してもよい。この場合には、フィルタの代わりにシリカゲル等の除湿剤が異物除去材料としてカートリッジに充填される。第１実施形態で除湿剤を用いる場合には、カートリッジ３０の下端を閉塞する必要がある。第２実施形態では、図１２に示すように、同じカートリッジ３１’を 用いて除湿剤３５’を充填すればよい。
【００５１】
本発明は上記実施形態に制約されず、種々の態様が可能である。例えば、カートリッジは、異物除去材料とともに使い捨てにしてもよい。
本発明のストレーナ装置は、ガス以外の流体通路例えば水道管に装着されて、水道管を流れる水から塵埃等の異物を除去するために用いることができる。
【産業上の利用可能性】
【００５２】
本発明は、流体通路に装着されるストレーナ装置に適用することができる。
【符号の説明】
【００５３】
１０  ボデイ
１１  筒部
１２  接続口部
１３  収容空間
１３ｙ  奥側収容部
１４Ａ  入口通路
１４Ｂ  出口通路
１６ａ  第１係止溝
１６ｂ  第２係止溝
２０，２０’  ケース
２２  閉塞端部
２４  連通口
２５  装着溝
２６  係止リング
２８  流路構成部
２８ａ  第１部分
２８ｂ  第２部分
２９  内部通路
３０，３０’  異物除去手段
３１，３１’  カートリッジ
３２  つまみ部
３５  フィルタ（異物除去材料）
３５’  除湿剤（異物除去材料）
３６  円筒部（筒部）
３７  装着部
４０  封鎖手段
４１  ケース蓋
５０  シール手段
５１  第１シールリング
５２  第２シールリング
６０  外蓋
【図１】
2019118848.tif 000003
【図２】
2019118848.tif 000004
【図３】
2019118848.tif 000005
【図４】
2019118848.tif 000006
【図５】
2019118848.tif 000007
【図６】
2019118848.tif 000008
【図７】
2019118848.tif 000009
【図８】
2019118848.tif 000010
【図９】
2019118848.tif 000011
【図１０】
2019118848.tif 000012
【図１１】
2019118848.tif 000013
【図１２】
2019118848.tif 000014